(57)【要約】【課題】  本発明は、サービスを受ける需要者が画面からメニューを選択できる場合において、効率よく需要者に必要な広告情報等を届けるコンテンツ表示装置の提供を目的とする。【解決手段】ディスプレイに表示する主たるメインコンテンツと、メインコンテンツの合間にサブコンテンツ３４２をそれぞれ複数記憶して、この複数のサブコンテンツの一部または全部を一覧表示すべく予め編集された通常メニューコンテンツ３４３を記憶している。操作部６と、制御部３９は、前記メニュー操作子が操作されたときサブコンテンツ３４２の表示中であるか否か判断し、サブコンテンツの表示中でなければ前記通常メニューコンテンツ３４３を読み出してディスプレイに出力し、サブコンテンツ３４２の表示中であれば該サブコンテンツ３４２に応じた内容の個別メニューコンテンツを編集して出力する。【選択図】図２
2006292810.tif 000002
【特許請求の範囲】
【請求項１】
ディスプレイに表示する主たるコンテンツであるメインコンテンツと、前記メインコンテンツの合間に表示されるコンテンツであるサブコンテンツと、をそれぞれ複数記憶するとともに、前記複数のサブコンテンツの一部または全部の項目を一覧表示するために予め編集された通常メニューコンテンツを記憶した記憶手段と、
前記サブコンテンツに応じた内容に編集したメニューである個別メニューコンテンツを編集する個別メニューコンテンツ編集手段と、
メニューコンテンツの表示を指示するメニュー操作子と、
前記種々のコンテンツをディスプレイに出力して表示させる表示制御手段であって、前記メニュー操作子が操作されたとき、サブコンテンツの表示中であるか否か判断し、
サブコンテンツの表示中でなければ、前記通常メニューコンテンツを読み出してディスプレイに出力し、
サブコンテンツの表示中であれば、前記個別メニューコンテンツ編集手段に該表示中のサブコンテンツに応じたメニューを編集させ、この個別メニューコンテンツをディスプレイに出力する表示制御手段と、
を備えた、コンテンツ表示装置。
【請求項２】
複数の主たるコンテンツであるメインコンテンツと、前記メインコンテンツの合間に表示するサブコンテンツと、複数のサブコンテンツの一部または全部を一覧表示するために予め編集した通常メニューコンテンツと、を含むコンテンツを受信する受信手段と、
前記サブコンテンツに応じて編集したメニューである個別メニューコンテンツを編集する個別メニューコンテンツ編集手段と、
前記通常メニューコンテンツ、または前記個別メニューコンテンツの表示を指示するメニュー操作子と、
前記受信手段が受信するコンテンツをディスプレイに出力して表示させる表示制御手段であって、前記メニュー操作子が操作されたとき、サブコンテンツの表示中であるか否かを判断し、サブコンテンツの表示中でなければ、予め定められた通常のメニューコンテンツを受信して、ディスプレイに出力し、サブコンテンツの表示中であれば、前記個別メニューコンテンツ編集手段により編集したこの個別メニューコンテンツをディスプレイに出力する表示制御手段と、
を備えたコンテンツ表示装置。
【請求項３】
前記個別メニューコンテンツ編集手段は、
前記メインコンテンツが表示されている間に、前記メニュー操作子が操作された場合には、前記ディスプレイにテキストデータで個別メニューコンテンツを編集し、
メインコンテンツが表示されていないときに前記メニュー操作子が操作された場合には、画像データを含む個別メニューコンテンツを編集する請求項１または２のいずれかに記載のコンテンツ表示装置。
【請求項４】
カラオケ曲の楽音信号を発生してスピーカへ出力する演奏手段と、演奏中のカラオケ曲に応じた画像を表示する手段とを備えるカラオケ演奏手段を備え、
前記メインコンテンツは、前記カラオケ曲の楽曲データからなり、
前記サブコンテンツは、広告または宣伝のためのＣＭデータからなり、
前記表示制御手段は、前記サブコンテンツを前記カラオケ演奏手段が曲を演奏していない曲間、または前記カラオケ曲の間奏を演奏しているときに表示する、請求項１〜３のいずれかに記載のコンテンツ表示装置。
【発明の詳細な説明】
【技術分野】
【０００１】
本発明は、サービスを受ける需要者が画面からメニューを選択できる場合において、効率よく需要者に必要な広告情報等を届けることに関する。
【背景技術】
【０００２】
従来、メインコンテンツの合間に、サブコンテンツの情報を流すことが提案されている（例えば、特許文献１〜３）。
【０００３】
例えば特許文献１〜３には、カラオケ装置で、カラオケ曲（メインコンテンツ）の演奏休止期間に広告（サブコンテンツ）を放映することが開示されている。
【０００４】
また、双方向テレビにおいては、ＣＭ放映中にリモコンを操作することによって、その詳細情報を取得しうる双方向のコンテンツ取得システムが提案されている（例えば特許文献４参照。）。
【特許文献１】特開２０００−２９４７８号公報
【特許文献２】特開２００３−３４５３２６号公報
【特許文献３】特開平８−１１５０６６号公報
【特許文献４】特開２００４−２００９３２号公報
【発明の開示】
【発明が解決しようとする課題】
【０００５】
サービスを受ける需要者が画面からメニューを操作できる場合、例えば、カラオケ装置や、双方向テレビ、案内表示等においてコンテンツを表示する場合、利用者に対しできるだけ効率よく必要な情報を届けたいという要請がある。特に、広告情報を流す場合においては、タイムリーな情報を需要者に届けた場合購買意欲を惹起する可能性が高く、どのような広告をどのタイミングで表示するかは、重要な要素といえる。また、操作者としても、このメニュー操作の効率は必要な情報を得る上で重要な要素といえる。
【０００６】
しかしながら、前記特許文献１〜３に開示のカラオケ装置は、予め定められた順序等で広告を表示するものであり、購買意欲を惹起する広告情報を抽出して広告情報を提供するものではない。また、当該広告情報を流しているときに、操作者がメニュー操作子を操作した場合に、当該広告情報に関する商品を注文しやすいよう、抽出して提供するものではない。即ち、コンテンツ表示装置は、曲の合間にその曲と無関係に広告を表示し、メニュー操作子が操作された場合でも一律に同じメニューを表示するのみであったから、情報がタイムリーな情報でない故、需要者は、その情報に飽きてしまう問題があった。
【０００７】
一方、特許文献４の双方向ＴＶは、メニュー操作子の操作に応じてＣＭである広告情報それ自体の詳細情報を提供するが、このＣＭに関連した他の情報を含めたメニューを編集して表示するものではない。
【０００８】
そこで、本発明は、上記問題に鑑み、コンテンツが画面に表示され、操作者がメニューを操作できる場合に、操作者に対し効率よく必要な情報を届けることを目的とする。
【課題を解決するための手段】
【０００９】
本発明は、上述の課題を解決するための手段を以下のように構成している。
【００１０】
（１）この発明は、ディスプレイに表示する主たるコンテンツであるメインコンテンツと、前記メインコンテンツの合間に表示されるコンテンツであるサブコンテンツと、をそれぞれ複数記憶するとともに、前記複数のサブコンテンツの一部または全部の項目を一覧表示するために予め編集された通常メニューコンテンツを記憶した記憶手段と、
前記サブコンテンツに応じた内容に編集したメニューである個別メニューコンテンツを編集する個別メニューコンテンツ編集手段と、
コンテンツの表示を指示するメニュー操作子と、
前記種々のコンテンツをディスプレイに出力して表示させる表示制御手段であって、前記メニュー操作子が操作されたとき、サブコンテンツの表示中であるか否か判断し、
サブコンテンツの表示中でなければ、前記通常メニューコンテンツを読み出してディスプレイに出力し、
サブコンテンツの表示中であれば、前記個別メニューコンテンツ編集手段に該表示中のサブコンテンツに応じたメニューを編集させ、この個別メニューコンテンツをディスプレイに出力する表示制御手段と、
を備えたことを特徴とする。
【００１１】
このように構成すれば、前記記憶手段は、前記メインコンテンツと前記サブコンテンツを記憶しており、前記表示制御手段は、サブコンテンツの表示中であれば、そのタイミングにおいては、前記サブコンテンツに応じた内容にメニューを編集して表示するので、当該装置は、効率よく情報を提供できるとともに、メニュー操作子の操作者も効率よく情報を取得できる。
【００１２】
（２）複数の主たるコンテンツであるメインコンテンツと、前記メインコンテンツの合間に表示するサブコンテンツと、複数のサブコンテンツの一部または全部を一覧表示するために予め編集した通常メニューコンテンツと、を含むコンテンツを受信する受信手段と、
前記サブコンテンツに応じて編集したメニューである個別メニューコンテンツを編集する個別メニューコンテンツ編集手段と、
前記通常メニューコンテンツ、または前記個別メニューコンテンツの表示を指示するメニュー操作子と、
前記受信手段が受信するコンテンツをディスプレイに出力して表示させる表示制御手段であって、前記メニュー操作子が操作されたとき、サブコンテンツの表示中であるか否かを判断し、サブコンテンツの表示中でなければ、予め定められた通常のメニューコンテンツを受信して、ディスプレイに出力し、サブコンテンツの表示中であれば、前記個別メニューコンテンツ編集手段により編集したこの個別メニューコンテンツをディスプレイに出力する表示制御手段と、
を備えていることを特徴とする。
【００１３】
このように構成すれば、前記受信手段は、前記メインコンテンツと前記サブコンテンツを受信して、前記表示制御手段は、前記サブコンテンツの表示中であれば、そのタイミングにおいては、前記サブコンテンツの内容に応じて編集して表示するので、当該装置は、効率よく情報を提供できるとともに、メニュー操作子の操作者も効率よく情報を取得できる。
【００１４】
（３）本発明は、前記個別メニューコンテンツ編集手段は、
前記メインコンテンツが表示されている間に、前記メニュー操作子が操作された場合には、前記ディスプレイにテキストデータで個別メニューコンテンツを編集し、
メインコンテンツが表示されていないときに前記メニュー操作子が操作された場合には、画像データを含む個別メニューコンテンツを編集することを特徴とする。
【００１５】
このように構成すれば、前記メインコンテンツが表示されている間には、テキストデータを、例えば字幕が流れるように表示することができ、前記メニュー操作子が操作された場合には、テキストデータ以外の画像データも表示できる。前記メインコンテンツが表示されている間には、操作者はメインコンテンツを見たいと想定されるのでその妨害にならないよう、簡易に表示するとともに、操作者が操作する場合には、その他の画像データを含む情報を流すので、当該操作者は効率よく情報を取得できる。
【００１６】
（４）本発明は、カラオケ曲の楽音信号を発生してスピーカへ出力する演奏手段と、演奏中のカラオケ曲に応じた画像を表示する手段とを備えるカラオケ演奏手段を備え、
前記メインコンテンツは、前記カラオケ曲の楽曲データからなり、
前記サブコンテンツは、広告または宣伝のためのＣＭデータからなり、
前記表示制御手段は、前記サブコンテンツを前記カラオケ演奏手段が曲を演奏していない曲間、または前記カラオケ曲の間奏を演奏しているときに表示することを特徴とする。
【００１７】
このように構成すれば、前記カラオケ演奏手段を有するカラオケ装置において前記カラオケ曲の楽曲データの演奏の合間、または間奏時に主として広告情報からなるサブコンテンツを流すことになる。したがって、カラオケボックス等において、有用な広告情報をメインコンテンツの妨害とならない時間に提供でき、当該操作者も必要情報を取得できる。
【発明の効果】
【００１８】
本発明によれば、前記受信手段は、前記メインコンテンツと前記サブコンテンツを受信して、前記表示制御手段は、前記サブコンテンツの表示中であれば、そのタイミングにおいては、前記サブコンテンツの内容に応じてメニューを編集して表示するので、当該装置は、効率よく情報を提供できるとともに、メニュー操作子の操作者も効率よく情報を取得できる。
【発明を実施するための最良の形態】
【００１９】
第１の実施形態に係るコンテンツ表示装置について説明する。第１の実施形態に係る装置は、カラオケ装置である。図１は、同カラオケ装置を備えたカラオケ店舗のシステム構成を示す図である。当該システムの構成は大きくカラオケボックス装置群２１と管理室サーバ４１と、これらを接続する接続回線５１とに大別される。
【００２０】
カラオケボックス装置群２１は、カラオケ装置３０と、カラオケ装置３０に接続され、カラオケ曲の歌詞テロップ１２、背景画像やその他情報を表示するモニタ１と、リモコン６１を含む操作部６（図２参照。）と、歌唱者によりカラオケ曲に合わせて歌声が入力されるマイク７と、カラオケ曲の演奏音およびマイク７の音声入力とを合成した音声が出力されるスピーカ８が含まれる。
【００２１】
モニタ１は、カラオケ装置３０がカラオケ曲を演奏している間は、カラオケ背景画像１１上に、歌詞テロップ１２を合成した映像を、主たるコンテンツであるメインコンテンツとして表示するとともに、間奏の演奏中に宣伝文言表示エリア１３に広告情報を表示する。曲が流れていないとき（曲間）は、モニタ１の全面に広告情報が表示される（後述図７のＳ４の説明参照。）。
【００２２】
操作部６（図２参照。）は、リモコン６１、またはカラオケ装置３０、本体のパネルスイッチ、またはモニタ１上のタッチパネル６４等で構成されている。リモコン６１は、赤外線や電波を用いた送信手段により送信するリモコン送信部６３とを備え、カラオケ装置３０本体に設けられたリモコン受信部３８に対して信号を送信することで、カラオケ装置３０に指示を行う。リモコン６１は図１に示す通り、操作子の一部がタッチパネル６４上のキーで構成されている。このように操作子をタッチパネル上で構成すれば、特に前述のメインコンテンツが表示されている間は、リモコン６１は、管理室サーバ４１へ注文を送信できるようメニュー表示するといったモニタの映像を補完する役割を果たすことができる。
【００２３】
なお、当該リモコン６１の各操作キー６２、およびその他操作部６に設けられた操作キー６２１は、本発明の「メニュー操作子」に相当する。
【００２４】
管理室サーバ４１は、管理室に設置され、カラオケボックス装置群２から、操作部６の所定の操作があった場合に品物の注文を受け付ける手段である注文受付プログラム４３と、カラオケ装置３０へカラオケ曲の情報を配信する配信プログラム４４とを有している。
【００２５】
カラオケ装置３０は、前述の通り、リモコン６１とマイク７と管理室サーバ４１からの指示を受け、モニタ１に映像信号を出力し、スピーカ８に音声信号を出力する。
【００２６】
次に、第１の実施形態に係るコンテンツ表示装置本体、即ちカラオケ装置３０本体の内部構成図を図２に示す。
【００２７】
カラオケ装置３０は、２点鎖線で表示した内部であって、入力としてマイク７からの音声入力であるマイク入力７１と、管理室サーバ４１からの曲データや広告情報のデータと、操作部６からの入力を受けて、スピーカ８とモニタ１と管理室サーバ４１内の注文受付プログラム４３に、所定の出力を行う。
【００２８】
カラオケ装置３０は、図２に示す通り管理室サーバ４１から曲データを受信してそのデータを格納する曲データ格納部３２と、曲データ格納部３２からその曲データを呼び出して、これをデコードし、映像信号と音声信号を生成する演奏部３５２とを有している。また、この演奏部３５２により生成された音声信号とマイク入力７１の信号とを合成して、この合成された信号を増幅しスピーカ８に出力する増幅部３３を有している。なお、演奏部３５２により生成された映像信号は、モニタ１に出力される。
【００２９】
また、管理室サーバ４１から広告情報のメニュー等のデータを受信するメニュー受信部３４を有している。その内部には、当該受信したメニューを記憶するメニュー記憶部３４０を有しており、このメニュー等のデータは、メニュー記憶部３４０から読み出してデコーダ３５１により映像信号に変換され、前述の演奏部３５２によりデコードされた映像信号に重ねて表示される。
【００３０】
なお、図２のメニュー受信部３４は、本発明の「受信手段」に相当する。また、図２のメニュー記憶部３４０は、本発明の「記憶手段」に相当する。また、図２では、メニュー記憶部３４０は、メニュー受信部３４の内部に含んでいるが、メニュー受信部３４の外部に設けてもよい。
【００３１】
さらに、カラオケ装置３０には、上記操作部３等の入力を受けて、制御部３９を介して管理室サーバ４１内の注文受付プログラム４３に指示を送信する注文出力部３６を含んでいる。
【００３２】
これらのカラオケ装置３０内の各部位の動作を制御するのは、前述の制御部３９であって、操作部６からの操作入力を直接受付け、各部位を制御する。
【００３３】
次に図２で示したメニュー記憶部３４０について詳しく説明する。まず本実施形態で使用するコンテンツを説明する。本実施形態で使用するコンテンツは、メインコンテンツと、サブコンテンツと、通常メニューコンテンツと、個別メニューコンテンツである。メインコンテンツは、曲情報、および画面表示、および画面に表示するためのフレームからなり、サブコンテンツ３４２は主として広告情報からなり、イベント情報やニュースも含んでいる。さらに、通常メニューコンテンツは、前記複数のサブコンテンツの一部または全部を一覧表示すべく、その項目を予め編集したメニューからなる。具体的には、通常メニューコンテンツ３４３は、例えば、カラオケボックスの事業者が提供したい情報（広告情報、イベント情報を含む）のすべての一覧メニューである（図６符号３７６参照。）。
【００３４】
なお、サブコンテンツ３４２はカラオケ装置３０がカラオケ曲の間奏を演奏しているとき、または前述のメインコンテンツである曲が演奏されていないときに、表示されるものである。メインコンテンツである曲の表示を妨げないためである。
【００３５】
図２のメニュー記憶部３４０内には、主たるコンテンツであるメインコンテンツであって前述の曲データ等以外のもの、例えば、メインコンテンツを表示させるためのフレームなどを記憶するメインコンテンツフレーム３４１と、主として広告情報からなる前記サブコンテンツ３４２と、をそれぞれ複数記憶している。また、通常メニューコンテンツ３４３を複数記憶している。また、サブコンテンツに応じて編集したメニューを効率よく出すためのコードであるスクリプトＩＤ３４４や、キーワード３４５を記憶している（スクリプトＩＤ等の詳細は図３で後述する。）。
【００３６】
。また、通常メニューコンテンツ３４３においては、後述図７のＳ３、Ｓ７の説明の通り、画像付きのデータや、文字のみのデータが格納されている。
【００３７】
次に、図３に第１の実施形態に係るカラオケ装置におけるメニュー記憶部に記憶されているスクリプトＩＤ３４４の形式を例示して説明する。前述の通り。メインコンテンツは、曲情報等からなり、サブコンテンツ３４２は広告情報等からなり、通常メニューコンテンツは、サブコンテンツ３４２のメニューからなる。これらのコンテンツはスクリプトＩＤでコード化された体系により管理されている。例えば、図２に示す通り、メインコンテンツである曲ごとにキーワード３４５を記憶するとともに、図３に示すようなスクリプトＩＤ３４４をメニュー記憶部３４０（図２参照。）に記憶しており、スクリプトＩＤ３４４には、前記キーワードの情報も含まれており、主として広告情報からなるサブコンテンツ３４２とリンクできるようにする。
【００３８】
図３（Ａ）の通り、スクリプトＩＤ３４４は３桁以上の桁のコードで構成されており、その内容は、文字図形等からなるスクリプトになる。例えばコード５６０であれば、「暖かい特注鍋」の文字・鍋料理の写真や図形、それに適した音楽などからなるスクリプトを指定するものとなる。
【００３９】
図３（Ｂ）に示す通り、スクリプトＩＤ３４４は、第１桁がスクリプトの内容を示しており、例えば、コード８がイベント情報、コード１が一般宣伝といったコード体系となっている。第２桁は、ジャンル、キーワードとなっており、コード１がポップス、コード２が冬といった、カラオケ曲に応じたジャンル、キーワードからなるコード体系となっている。第３桁目以下が識別番号を示している。このようなコード分類に応じた内容のスクリプトがデータ化され、スクリプトＩＤ３４４としてメニュー記憶部３４０に記憶している。
【００４０】
また、メニュー記憶部３４０は、スクリプトＩＤによりコード化された広告情報等からなるサブコンテンツ３４２を記憶している。例えば図３（Ｃ）のＳＣ１〜ＳＣ４に示す通り、テキスト表示するためのフレーズ、画像、ＢＧＭのデータをサブコンテンツ３４２として記憶している。このようにサブコンテンツ３４２がスクリプトコード化されているので、キーワードによりサブコンテンツ３４２を検索可能である。そして、キーワード３４５には、メインコンテンツについても、サブコンテンツ３４２と結びつけるためのキーワードも含まれる。
【００４１】
このスクリプトＩＤ３４４の２桁目のキーワードを介して、現在の前後に流れたメインコンテンツであるカラオケ曲と、広告情報等であるサブコンテンツ３４２を関連付けることにより、サブコンテンツ３４２をメニュー記憶部３４０で検索して表示する。ここでは、サブコンテンツ３４２のスクリプトＩＤ３４４が、図３（Ｂ）に示す第１桁目が１の一般宣伝と、５の料理メニューであるものに限定して編集する。このような編集の限定をするのは、曲が流れているというタイムリーな情報に合わせて、このような広告情報を提供すれば操作者の購買意欲を惹起するため、カラオケボックスの事業者の必要な情報を届けたいという要請に応じることができるからである。
【００４２】
例えば、冬のカラオケ曲が流れていれば、キーワード３４５には、その曲とキーワードの対照表が記憶されており、スクリプトＩＤの２桁目が冬である６のキーワードに関連付けられ、図３のＳＣ１に示すスクリプトＩＤが５６０からなるサブコンテンツを表示する。即ち、テキスト「当店自慢！暖かい特注鍋１２００円」と表示するとともに、「画像００８番」の画像を表示し、「１０２４」のコードからなるＢＧＭを流すようにする。または、冬の曲に関連するサブコンテンツが複数あれば、当該ＢＧＭは統一して、複数のテキストを一覧表示するよう編集しても良い。
【００４３】
このようにすれば、現在流れている曲はタイムリーな情報でもあるから、このようなタイムリーな情報に関連付けて広告情報を流せば、「そうだこれ食べたい」といった需要を喚起する可能性が高く、効率よく必要な情報を届けることができる。また、需要者としても必要情報を得ることができる。
【００４４】
係る広告情報を、現在流れている曲に関連して流した場合において、当該広告に関連したものをほしいという要求を効率よく伝達するためには、操作者がメニュー操作子を操作した場合にも、効率よく必要な情報を届ける必要がある。そこで、本実施形態では、メニュー操作子を操作した場合、現在表示されている広告情報に関連した情報を編集したメニューからなる個別メニューコンテンツを表示するようにする。なお、個別メニューコンテンツは前記通常メニューコンテンツを再編集したものである。
【００４５】
ここで、個別メニューコンテンツの表示形態について具体的に説明する。まず、前述冬の曲が流れていれば、これに関連付けて、図３のＳＣ１に示すスクリプトＩＤが５６０からなるサブコンテンツをテキスト「当店自慢！暖かい特注鍋１２００円」がモニタ１または、リモコン６１に表示されている状態となっている。そして、メニューキー６２１が押された場合は、この広告情報が表示がなされていれば、このメニューを選択しやすいように、通常メニューコンテンツ３４３を再編集して個別メニューコンテンツを作成する。例えば、図４（Ａ）の符号３７１に示すように、当該「暖かい特注鍋１２００円」を大きく表示したり、図４（Ｂ）の符号３７２に示すように、画像００８番とともに表示したり、図４（Ｃ）の符号３７３に示すように、一番上にこの「暖かい特注鍋１２００円」を配置するよう表示したり、図４（Ｄ）の符号３７４に示すように、冬の曲に関連するメニューを一覧表示するよう再編集してもよい。
【００４６】
また、現在表示されている広告情報に関連した情報を編集したメニューからなる個別メニューコンテンツが複数ある場合は、図５に示す通り、個別メニューコンテンツ表示３７２が表示されている場合に、次のメニューキーを押したとき、別の個別メニューコンテンツ表示３７５へ、画面表示の移動ができるようにする。
【００４７】
さらに、前述の通り、個別メニューコンテンツは、前記通常メニューコンテンツ３４３を編集したものであり、現在表示されている広告情報に関連したもののみを表示しているから、その他の情報も得たいという操作者の要請もある。そこで、個別メニューコンテンツ表示３７４が表示されているときに、通常メニューキー６２５にタッチしたとき通常のメニュー表示の画面へ移動するようにする。図６にその具体例を示す。例えば、個別メニューコンテンツ３７４が表示されているときに、通常メニューキー６２５を押すと、通常コンテンツメニュー表示３７６を表示する。そして、ドリンクのキーを押すと、画面表示３７７に移動する。
【００４８】
次に、図７に第１の実施形態に係るコンテンツ表示装置、即ちカラオケ装置３０のモニタに表示される表示動作のフローを具体的に示して説明する。なお、当該フローは、当該カラオケ装置３０が作動している間、常時作動しているものである。また、分岐点での動作の判断主体は制御部３９である。
図７のＳ１において、現在カラオケ装置３０において、当該カラオケ装置３０がカラオケ曲を演奏中であるか判断する。即ち演奏部３５２が稼動して、曲データ格納部３２のデータを映像信号として出力しているか判断する。カラオケ曲を演奏中であればＹとなり、Ｓ５へ移動する。演奏中でなければＮとなり、Ｓ２へ進む。
図７のＳ２において、表示すべきサブコンテンツ３４２をメニュー記憶部３４０内から選択する。図７のＳ２においては、図４で示したスクリプトＩＤの２桁目であるキーワードを介して、現在の前後に流れたメインコンテンツであるカラオケ曲と、宣伝情報等であるサブコンテンツ３４２を関連付けることにより、サブコンテンツ３４２をメニュー記憶部３４０で検索して、これを選択する。
【００４９】
図７のＳ３において、Ｓ２において選択したサブコンテンツ３４２を呼び出す。Ｓ３においてはメインコンテンツであるカラオケ曲の演奏中でないから、メインコンテンツの表示を妨げることはない。サブコンテンツ３４２として全画面画像付きのデータを読み出す。
図７のＳ４において、サブコンテンツ３４２をモニタ１全面に表示する。
図７のＳ５において、間奏中であるか判断する。間奏中であればＹとなりＳ６へ移動する。間奏中でなければＮとなり、メインコンテンツの表示を妨げないよう、広告情報を表示することなくＳ１へ戻る。
図７のＳ６において、Ｓ２と同様にして、表示すべきサブコンテンツ３４２をメニュー記憶部３４０内から選択する。
図７のＳ７において、Ｓ６において選択したサブコンテンツ３４２を呼び出す。Ｓ３においてはメインコンテンツであるカラオケ曲の演奏中であるから、その表示の邪魔にならないように、サブコンテンツ３４２として文字のみのデータを呼び出す。次に、図７のＳ８において、モニタの宣伝文言表示エリア１３にテロップとして広告情報を表示する。
【００５０】
図７の説明をまとめると、以下の通りである。即ち、Ｓ１において、曲の演奏中かを判断し、Ｓ５において、間奏中かを判断し、曲が演奏されていなければ、画像つき広告情報を全面に出力し、間奏中であれば、主としてテキストデータ（絵文字を含む）をモニタ１の宣伝文言表示エリア１３にテロップとしてサブコンテンツ３４２を表示する。メインコンテンツである曲が演奏され、間奏中でもなければ、カラオケ曲からなるメインコンテンツの表示の邪魔にならないように、広告情報等からなるサブコンテンツ３４２はモニタの宣伝文言表示エリア１３においても表示しない。そして、Ｓ３、Ｓ６においては、前後に流れた曲に関連した、サブコンテンツ３４２である広告情報なり、料理メニューの１つを表示するか、または当該サブコンテンツの項目を一覧表示する。その際、曲に結び付けられたキーワード３４５と、サブコンテンツ３４２に付されたスクリプトＩＤ（例えば図３（Ｃ）参照。）で曲と、サブコンテンツ３４２とを結びつける。
【００５１】
なお、フローには明示していないが、サブコンテンツ３４２が表示中であっても、メインコンテンツであるカラオケ曲がカラオケ装置３０により演奏され始めた場合、または間奏曲のカラオケ装置３０による演奏が終了した場合は、サブコンテンツ３４２の表示は停止する。メインコンテンツの表示の邪魔にならないようにするためである。
【００５２】
図８に、第１の実施形態に係るコンテンツ表示装置に対し、リモコン６１の操作がなされたときの動作フローを示す。なお、分岐点における判断主体は制御部３９である。
【００５３】
図８のＳ２１において、サブコンテンツ３４２が表示中であるか判断する。即ち、図７のＳ４、図７のＳ８において広告表示中であればＹとなり、Ｓ２７へ移動する。広告表示中でなければＮとなり、Ｓ２２に移動する。Ｓ２２において、通常メニューコンテンツ３４３のデータを読み出す。この通常メニューコンテンツ３４３は、前述の通り、当該装置３０が提供できる全情報を表した一般的なメニューであって、前述のサブコンテンツ３４２項目を予め編集したものである。当該メニューからは、広告情報のみならず、第１桁目が８からなるイベント情報や、第１桁目が９からなるニュース情報も、当該メニューから取得できるようにする（図６中段の吹き出し、符号３７６参照。）。なお、この通常メニューコンテンツ表示３７６からは、この図３に示すスクリプトＩＤ３４４のコード番号を操作部６から入力することにより項目を選択できるようにしてもよい。
【００５４】
図８のＳ２３において、カラオケ曲がカラオケ装置３０により演奏中であるか判断する。カラオケ曲がカラオケ装置３０により演奏中であればＹになり、Ｓ２４において、図外の手段により通常メニューコンテンツ３４３のデータをリモコン６１に送信して、リモコン６１に通常メニューコンテンツ３４３を表示する。前述の通り、リモコン６１は一部タッチパネル６４となっていて、広告情報を表示でき、このタッチパネル６４の部分にこのコンテンツ３４３を表示する。一方、Ｓ２３において、カラオケ曲がカラオケ装置３０により演奏中でなければＮになり、Ｓ２５に移動する。Ｓ２５においてモニタ１に前述の通り読み出した通常メニューコンテンツ３４３を出力する。
【００５５】
図８のＳ２４、Ｓ２５が終了すれば、Ｓ２６において、リモコン６１におけるキー入力により番号が選択されたか判断する。番号が選択されればＳ３３に移動する。そうでなければ、Ｎとなり、番号が選択されるまで待機するか、または、図外の他の操作入力があるまで待機する。
【００５６】
図８のＳ２７において、図４で説明したとおり、通常メニューコンテンツ３４３を呼び出し、現在表示しているコンテンツの内容に応じてこれを編集し、個別メニューコンテンツのデータを作成する。前述図４において説明したとおり、Ｓ２７におけるメニュー選択では、Ｓ２１の判断においてサブコンテンツ３４２が表示中である場合であって、当該広告に関連したものをほしいという要求を効率よく伝達できるようにするためである。例えば、前述冬の曲が流れていれば、図７のＳ２において、これに関連付けて、図３のＳＣ１に示すスクリプトＩＤが５６０からなるサブコンテンツをテキスト「当店自慢！暖かい特注鍋１２００円」がモニタ１または、リモコン６１に表示した状態にある。そこで、メニューキー６２１（図１参照。）が押されると、Ｓ２１→Ｓ２７において図４（Ａ）〜（Ｄ）に示したメニューのデータを編集する。
【００５７】
なお、図８のＳ２７は、「個別メニューコンテンツ編集手段」に相当する。
【００５８】
図８のＳ２８〜Ｓ３０においては、前述したステップＳ２３〜Ｓ２５と同様である。ただし、Ｓ２９、Ｓ３０では、Ｓ２７で編集した個別メニューコンテンツ３４２を表示する。
図８のＳ２９、Ｓ３０のいずれかのステップの後、Ｓ３１において、Ｓ２６と同様、番号選択があったかどうか判断する。番号選択があった場合はＹとなり、Ｓ３２に移動する。番号選択がなければＮとなり、Ｓ３２に移動する。例えば、前述図４（Ｂ）の符号３７２に示す通り、「暖かい特注鍋１２００円」を大きく表示した場合は、前述図５の符号３７２に示す通り、次のメニューキーの操作を受付けて、例えば冬の曲に関連する他の個別メニューコンテンツ表示３７５を表示する。
【００５９】
図８のＳ３２において、図６で示した通り、通常メニューコンテンツ３４３へ移動することの選択があったかどうか判断する。即ち、提供できる全情報を表した一般的なメニューである通常メニューコンテンツ３４３を表示することを選択できるようにする。なぜなら、個別メニューコンテンツ以外の情報を入手したいという操作者の要求に応じるためである。当該選択は、例えば図６に示す通り、個別メニューコンテンツ表示３７４が表示された場合に、リモコン６１上の通常メニューキー６２５の当該選択があったときはＳ３２でＹとなり、通常のメニュー表示３７６に移動する。一方、Ｓ３２において通常メニューコンテンツが移動することが選択されない場合はＮとなり、Ｓ３１へ移動し、Ｓ３１、Ｓ３２のループでいずれかの入力を受付け、待機状態となる。
【００６０】
図８のＳ３３において、Ｓ２６またはＳ３１で番号選択がなされた場合は、図４、図５に示すような決定キー６２６の選択があったか判断する。当該決定キー６２６の選択があればＹとなり、Ｓ３４に移動する。Ｓ３４において、制御部３９は、注文出力部３６に指示して電文を作成して、Ｓ３５において、注文出力部３６に管理室サーバ４１宛に出力する。その後図８のフローは終了する。一方Ｓ３３において、決定キー６２６の選択がなされなければＮとなり、フローは終了する。
【００６１】
なお、制御部３９の図７、８の表示制御は、本発明の「表示制御手段」に相当する。
【００６２】
図８のフローをまとめると、Ｓ２１において、広告情報からなるサブコンテンツ３４２が表示中であるか判断し、表示中であれば、Ｓ２７で当該広告に応じてメニューを編集して、Ｓ２９、Ｓ３０で表示する。一方Ｓ２１において、広告表示中でなければ、Ｓ２２でメニュー記憶部３４０から通常メニューコンテンツを読み出して、Ｓ２４、Ｓ２５で表示する。そして、Ｓ２３、Ｓ２８でカラオケ曲の演奏中であるか判断し、演奏中であれば、これに邪魔にならないよう、Ｓ２４またはＳ２９において、リモコン６１に送信してリモコン６１に表示する。また、Ｓ２３、Ｓ２８でカラオケ曲の演奏中でなければ、Ｓ２５，３０においてモニタ１に出力する。さらに、Ｓ２６、Ｓ３１で番号選択を受付け、Ｓ３３で決定キー６２６が押された場合にはＳ３４、Ｓ３５で注文の情報が発信される。さらに、図８のＳ３２において、前述の図６に示すような、通常メニューコンテンツへの移動を受け付ける。
【００６３】
次に第２の実施形態に係るコンテンツ表示装置について説明する。当該装置は、双方向テレビ装置であって、図２にその外観構成図を示す。当該構成は、家庭内装置群２２と、ホームページ管理者のサーバ４５に大別され、ルータ５３およびネットワーク回線５２によって両者は接続されている。家庭内装置群２２には、３１の映像出力を表示し、音声を出すモニタ１と、図外の手段により受信した映像をデコードしてモニタ１に表示し、また、接続回線からの情報を送受信する手段を有する双方向テレビ表示装置３１と、家庭内装置群２２には、主としてリモコン６１からなる操作部６が含まれる。また、双方向テレビ表示装置３１の家庭内装置群２２の外部との送受信のために使用するルータ５３が含まれる。
【００６４】
モニタ１は、テレビ放送を双方向テレビ表示装置３１で表示している間は、テレビ番組１４をメインコンテンツとして表示するとともに、宣伝文言表示エリア１３に広告情報をテロップとして表示する。双方向テレビ表示装置３１において、宣伝文言表示エリア１３は、モニタ１の下段に表示する。
【００６５】
リモコン６１は、第１の実施形態の装置と同様、赤外線や電波による公知の送信手段により送信するリモコン送信部６３と、双方向テレビ表示装置３１本体に設けられたリモコン受信部３８により、双方向テレビ表示装置３１に指示を行う。リモコン６１はタッチパネル６４での操作となっており、操作キー６２には少なくともショッピングキー６２３、カーソルキー６２４を含む。
【００６６】
なお、当該リモコン６１の各操作キー６２、およびその他操作部６に設けられた操作キーは、本発明の「メニュー操作子」に相当する。
【００６７】
双方向テレビ表示装置３１の内部構成は、図１０に示す通り、２点鎖線部で示す領域内にあり、ディジタル放送入力５５とネットワーク回線５２と操作部６の入力を受け、モニタ１とネットワーク回線５２へ出力する。双方向テレビ表示装置３１の内部には、ディジタル放送入力を受けてそれをデコードして、モニタに出力するための出力信号を生成するデコーダ３５３と、ネットワーク回線５２を通じて各種情報を受信するメニュー受信部３４と、当該受信部３４の情報をデコードしてモニタに出力するための出力信号を生成するデコーダ３５３を有している。これらデコーダ３５３、３５３の出力は、重ねて表示することが可能となるようになっている。また、ネットワーク回線５２を通じて、ホームページ管理者のサーバ４５に注文を出すための電文を作成する注文出力部３６を含んでいる。これらの内部の動作を制御するのは、制御部３９であって操作部６からの操作入力を直接受付け、各部位を制御する。
【００６８】
また、ホームページ管理者のサーバ４５から広告情報のメニュー等の表示データを受信してそれを記憶するメニュー受信部３４を有しており、このメニュー等の表示データは、デコーダ３５１により映像信号に変換され、前述のデコーダ３５３によりデコードされた映像信号に重ねて表示される。
【００６９】
このメニュー受信部３４の内部には、メニュー記憶部３４０を有しており、当該記憶部には、第１の実施形態に係るコンテンツ表示装置のメニュー記憶部３４０の符号３４２〜３４５を記憶している（図示省略、以下同一の符号３４２〜３４５を用いる。）。ただし、具体的な中身は第１の実施形態と異なるので、以下説明する。
【００７０】
メインコンテンツは、ディジタル放送入力５５から入力される、ＣＭを除く放送番組である。サブコンテンツは、ディジタル放送入力５５から入力されるＣＭ放送のほか、双方向テレビ装置３１本体が、広告のためのメニュー（後述の通常メニューコンテンツ３４３の説明参照。）を有しており、その項目をメニュー記憶部３４０にサブコンテンツ３４２として記憶している。さらに、このメニューはインターネットのアドレスと結び付けられており、サブコンテンツ３４２には、この広告のためのメニューに関連するホームページのアドレスを記憶している。
【００７１】
通常メニューコンテンツ３４３には、例えば後述の図１２（Ａ）で示すような画面を記憶している。ファッションブランド、グルメ、ダイエット健康商品、オークションなどの項目を選択できるようになっている。
【００７２】
スクリプトＩＤ３４４は、第１の実施形態に係る装置に係るスクリプトＩＤと同様のコード体系となっている。即ち、図３（Ａ）、（Ｂ）のようなコード体系でサブコンテンツを管理している点で一致する。ただし、図３（Ｃ）ＳＣ１〜ＳＣ４に示すような文字、図形のみならず、前述の通り、サブコンテンツとして、それに関連するホームページ管理者のサーバ４５のホームページのアドレスを記憶している。また、広告もサブコンテンツとして受信して、メニュー記憶部３４０に記憶するとともに、当該広告にも、スクリプトＩＤでコードが付されている。
【００７３】
そして、キーワード３４５には、放送番組とキーワードの対照表が記憶されている。
【００７４】
なお、当該メニュー受信部３４は、本発明の「受信手段」に該当する。また、当該メニュー記憶部３４０は、本発明の「記憶手段」に相当する。また、図２では、メニュー記憶部３４０は、メニュー受信部３４の内部に含んでいるが、メニュー受信部３４の外部にあってもよい。
【００７５】
次に第２の実施形態に係る双方向テレビ装置において、ショッピングキー６２３が押下げられたときの、画面の表示動作のフローを示す。当該フローのＳ１２１からＳ１３５のＳ１＊＊（＊＊は、Ｓ１＊＊の下二桁）は、第１の実施形態に係る装置の図８のフローのＳ＊＊に対応している。なお、分岐点における判断主体は制御部３９である。
【００７６】
図１１のＳ１２１において、ＣＭ放送がされ、ＣＭ放送が表示中であるかを判断する。表示中であればＹとなり、Ｓ１２２へ移動する。表示中でなければＮとなり、Ｓ１２７へ移動する。Ｓ１２２では、図８のＳ２２と異なり、例えば図１２に示すようなショッピング画面のメニューをＣＭ放送の受信以外に、通常メニューコンテンツ３４３として記憶しており、このメニューを読み出す。その後、Ｓ１２５に移動し、Ｓ１２５においてモニタ１に通常メニューコンテンツ３４３を出力する。
【００７７】
図１１のＳ１２５が終了すれば、Ｓ１２６において、リモコン６１におけるキー入力により番号が選択されたか判断する。番号が選択されればＳ１３３に移動する。そうでなければ、Ｎとなり、番号が選択されるまで待機するか、または、図外の他の操作入力があるまで待機する。
【００７８】
図１１のＳ１２７において、通常メニューコンテンツ３４３を呼び出し、現在表示しているコンテンツの内容に応じてこれを編集する。Ｓ１２７におけるメニュー選択では、Ｓ１２１の判断においてＣＭが表示中である場合であって、当該ＣＭに関連したものをほしいという要求を効率よく伝達できるようメニューを編集する。以下具体的に説明する。
【００７９】
まず、現在放映されているサブコンテンツであるＣＭにはキーワードが与えられており、ディジタル放送入力５５からＣＭ放送と同時に受信され、図示しない手段により、そのＣＭ放送中は、ＣＭ放送に関係するキーワードが制御部３９に送られる。
【００８０】
一方、前述の通常メニューコンテンツ３４３のそれぞれの項目に係るサブコンテンツ３４３は、前述の通り、スクリプトＩＤのキーワードが付されコード化された体系になっており、メニュー受信部３４がこれを受信する。そして、ＣＭが放映されている場合には、前記制御部３９に送られたキーワードに関連したスクリプトＩＤに係る通常メニューコンテンツ３４２の編集を行い、Ｓ１３０において、これを表示する。
【００８１】
例えばクリスマス関連のＣＭが流れている場合は、ＣＭ放映中は、「クリスマス」のキーワードが制御部３９に送られ、これに関連するサブコンテンツをメニュー受信部３４内のサブコンテンツ３４２で検索して、図１２（Ｂ）に示すような「クリスマスグッズ」に関連する項目が表示される。そして、この項目には、ホームページの管理者のサーバ４２のホームページのアドレスが付されており、後述のＳ１３１で当該選択を受け付けた場合には、そのホームページを表示する。
【００８２】
なお、図１１のＳ１２７は、「個別メニューコンテンツ編集手段」に相当する。
【００８３】
図１１のＳ１３０において、Ｓ１２７のステップで編集したメニューをモニタに表示する。
図１１のＳ１３０のステップの後、Ｓ１３１において、Ｓ１２６と同様、番号選択を受付ける。番号選択があった場合はＹとなり、Ｓ１３３に移動する。番号選択がなければＮとなり、Ｓ１３２に移動する。
【００８４】
図１１のＳ１３２において、通常メニューコンテンツ３４３へ移動することの選択があったかどうか判断する。即ち、提供できる全情報を表した一般的なメニューである通常メニューコンテンツ３４３を表示することを選択できるようにする。このようにすれば、現在例えばクリスマスのＣＭが放映され、図１１のＳ１３０においてこれが選択されやすいようにメニューが編集されて表示されているところ、それ以外の情報を入手したいという操作者の要求に応じるためである。Ｓ１３２においては、図８のＳ３２と異なり、ショッピングキー６２３が押下げられたとき、Ｓ１２２に移動し、Ｓ１２５において図１２（Ａ）に示すような通常メニューコンテンツ３４３である「ショッピングモール画面」が表示される。Ｓ１３２において通常メニューコンテンツ３４３へ移動することが選択されない場合はＮとなり、Ｓ１３１へ移動し、Ｓ１３１、Ｓ１３２のループでいずれかの入力を受付け、待機状態となる。
【００８５】
図１１のＳ１３３において、Ｓ１２６またはＳ１３１で番号選択がなされた場合は、図示しない決定キーの選択を受付ける。当該決定がなされればＹとなり、Ｓ１３４に移動する。Ｓ１３３において、当該決定がなされなければＮとなり、フローは終了する。Ｓ１３４において、制御部３９は、注文出力部３６に電文を作成するよう指示して、注文出力部３６はＳ１３５においてホームページ管理者のサーバ４５宛に送信する。その後図１１のフローは終了する。
【００８６】
なお、また、制御部３９の図１１の表示制御は、本発明の「表示制御手段」に相当する。
【００８７】
図１１のフローをまとめると、Ｓ１２１において、ＣＭ表示中（図１２（Ｂ）であれば、クリスマスのＣＭ）であるか判断し、表示中であれば、Ｓ１２７で当該ＣＭに応じてメニューを編集して、図１２（Ｂ）のような画面をＳ１３０においてモニタに出力する。Ｓ１２１において、ＣＭ表示中でなければ、Ｓ１２２においてメニュー受信部３４内のメニュー記憶部３４０から、図１２（Ａ）に示すような画面からなる通常メニューコンテンツ３４３を読み出して、Ｓ１２５で表示する。また、Ｓ１２６、Ｓ１３１で番号選択を受付け、Ｓ１３３で図外の決定キーが押された場合にはＳ１３４、１３５で注文の情報が発信される。さらに、図１１のＳ１３２において、第１の実施形態の装置に係る図６と同様、通常メニューコンテンツへの移動を受け付ける（図示省略）。
【００８８】
なお、第１、第２の実施形態では、カラオケ装置および双方向テレビについて実施形態を紹介したが、画面表示があり、操作者がその画面表示に対して、メニュー選択等の操作ができる環境であって、その画面表示に対し、その画面表示を構成するシステムの本来の目的を達成するためのコンテンツ、即ちメインコンテンツがあり、その合間に、広告宣伝されるサブコンテンツに対して、キー選択されうるものであれば、本願発明を実施するための形態として成立する。
【００８９】
請求項の範囲に記載した発明以外に実施形態には、以下の発明も記載されている。
（Ａ１）
前記個別メニューコンテンツは、前記通常メニューコンテンツの表示の順序を入れ換えたコンテンツからなる、請求項１または請求項２のいずれかに記載のコンテンツ表示装置。
このように構成すれば、前記表示制御手段は、前記通常メニューコンテンツをすべて表示しつつ、前記サブコンテンツの表示中であれば、前記サブコンテンツに応じた内容を上欄など、見やすい位置に順序を入れ換えて表示することができるから、メニュー操作子の操作者は、効率よく情報を取得できる。
【００９０】
（Ａ２）
前記個別メニューコンテンツは、さらに、前記通常メニューコンテンツに移動するための表示を備えた、請求項１〜２、または前記（Ａ１）のいずれかに記載のコンテンツ表示装置。
このように構成すれば、前記通常メニューコンテンツに移動したいという操作者の要請に応じることができる。即ち、個別メニューコンテンツは、前記サブコンテンツに応じた内容の個別メニューコンテンツであるに対し、通常メニューコンテンツは、前記複数のサブコンテンツの一部または全部であって、通常メニューコンテンツには、個別メニューコンテンツ以外の内容も含まれるところ、そのような他の内容も見たいという要請に応じることができる。
【００９１】
（Ａ３）
前記サブコンテンツは、テキストデータ、または画像データ、またはテキストデータおよび画像データの両方を含み、
前記表示制御手段は、
前記表示制御手段が前記メニュー操作子の操作入力を待っている状態にある場合に、
前記カラオケ演奏手段が前記間奏を演奏している時間にテキストデータでサブコンテンツを表示し、
前記曲間に前記サブコンテンツを表示するときは、画像データで前記サブコンテンツを表示する、請求項４に記載のコンテンツ表示装置。
このように構成すれば、前記メニュー操作子の操作入力を待っている状態において、サブコンテンツを表示しているところ、当該サブコンテンツは、間奏中はテキストを表示し、前記曲間の時間には、画像を含めて全面に広告を表示するので、前記表示制御手段はメインコンテンツの邪魔にならないよう表示制御できる。
【００９２】
（Ａ４）
前記サブコンテンツは、テキストデータ、または画像データ、またはテキストデータおよび画像データの両方を含み、
前記表示制御手段は、
前記演奏手段が前記カラオケ曲の間奏曲を演奏している時間に、前記サブコンテンツを表示するときは、前記演奏手段が現在演奏しているカラオケ曲の内容に応じて、前記サブコンテンツを表示し、
前記サブコンテンツを曲間に表示するときには、前記演奏手段が直前に演奏したカラオケ曲、または直後に当該演奏したカラオケ曲の内容に応じて、前記サブコンテンツを表示する、請求項４または前記（Ａ３）のいずれかに記載のコンテンツ表示装置。
このように構成すれば、直前に演奏された曲または直後に演奏する曲に応じて前記サブコンテンツを曲間に表示するので、「直前」、「直後」といったタイムリーな情報に応じて、広告等からなる前記サブコンテンツを表示するから、メニューの操作者の「あれがほしい」といった購買意欲を惹起する可能性が高く、タイミングよく必要情報を提供できるとともに、当該操作者も効率よく情報を取得できる。
【図面の簡単な説明】
【００９３】
【図１】第１の実施形態に係るカラオケ装置を備えたカラオケ店舗のシステム構成図を示す。
【図２】第１の実施形態に係るカラオケ装置の内部構成図を示す。
【図３】第１の実施形態に係るカラオケ装置におけるメニュー記憶部に記憶されているスクリプトＩＤの形式の例示である。
【図４】第１の実施形態に係るカラオケ装置の個別メニューコンテンツの表示例を示す。
【図５】第１の実施形態に係るカラオケ装置の個別メニューコンテンツの表示中において、次のメニューキーにタッチしたときの、画面表示の移動の例を示す。
【図６】第１の実施形態に係るカラオケ装置の個別メニューコンテンツの表示中において、通常メニューキーにタッチしたとき通常のメニューへの画面が移動する場合の画面表示の例を示す。
【図７】第１の実施形態に係るカラオケ装置のモニタ上に表示される表示動作のフローを示す。
【図８】第１の実施形態に係るカラオケ装置に対し、リモコンの操作がなされたときの動作フローを示す。
【図９】第２の実施形態に係る双方向テレビ装置の外観構成図を示す。
【図１０】第２の実施形態に係る双方向テレビ装置の内部構成図を示す。
【図１１】第２の実施形態に係る双方向テレビ装置において、ショッピングキーが押下げられたときの、画面の表示動作のフローを示す。
【図１２】第２の実施形態に係る双方向テレビ装置において、ショッピングキーが押下げられたときの表示画面の一例を示す。
【符号の説明】
【００９４】
１−モニタ
１１−カラオケ背景画像
１２−歌詞テロップ
１３−宣伝文言表示エリア
１４−ＴＶ番組
２１−カラオケボックス装置群
２２−家庭内装置群
３０−カラオケ装置
３１−双方向テレビ表示装置
３２−曲データ格納部
３３−増幅部
３４−メニュー受信部
３４０−メニュー記憶部
３４１−メインコンテンツフレーム
３４２−サブコンテンツ
３４３−通常メニューコンテンツ
３４４−スクリプトＩＤ
３４５−キーワード
３５１−デコーダ
３５２−演奏部
３５３−デコーダ
３６−注文出力部
３７１〜３７４−個別メニューコンテンツ表示
３７５〜３７７−通常メニューコンテンツ表示
３８−リモコン受信部
３９−制御部
４１−管理室サーバ
４２−パソコン
４３−注文受付プログラム
４４−配信プログラム
４５−ホームページ管理者のサーバ
５１−接続回線
５２−ネットワーク回線
５３−ルータ
５５−ディジタル放送入力
６−操作部
６１−リモコン
６２−操作キー
６２１−メニューキー
６２２−選曲キー
６２３−ショッピングキー
６２４−カーソルキー
６２５−通常メニューキー
６２６−決定キー
６３−リモコン送信部
６４−タッチパネル
７−マイク
７１−マイク入力
８−スピーカ
ＳＣ１〜ＳＣ４−サブコンテンツ
【図１】
2006292810.tif 000003
【図２】
2006292810.tif 000004
【図３】
2006292810.tif 000005
【図４】
2006292810.tif 000006
【図５】
2006292810.tif 000007
【図６】
2006292810.tif 000008
【図７】
2006292810.tif 000009
【図８】
2006292810.tif 000010
【図９】
2006292810.tif 000011
【図１０】
2006292810.tif 000012
【図１１】
2006292810.tif 000013
【図１２】
2006292810.tif 000014